(57)【要約】  データ交換ネットワーク（２）に接続された複数の端末に同報通信システムによって送信されるスクランブルをかけられたディジタル・データを解読するための個々の解読キーを配分するための方法に関するものであり、同報通信システムは、前記個々のキーを提供するよう設計されたポータル（１４）と、少なくとも１つのスクランブリング・プラットフォーム（１６）と、スクランブルをかけられたデータを同報通信するための少なくとも１つのサーバ（６）とを備えている。当該方法は、各々が個々のキーKiの有効性の周期を定義する一連の符号化周期CPiに、送信されるデータのスクランブル周期を分割する段階と、ポータル（１４）に端末（４）が接続されるごとに、符号化周期CPiに対応する少なくとも１つのキー及び符号化周期CPi＋1に対応する少なくとも１つのキーを備えた個々のキーの組、並びに継続されるアクセスが認可される場合に、後続の符号化周期に少なくとも対応する解読キーの組を収集するように後続の接続の日付けを該端末（４）に供給する段階とを含む。
2005512416.tif 000002
【特許請求の範囲】
【請求項１】
データ交換ネットワーク（２）に接続された幾つかの端末に同報通信システムによって送信されるスクランブルをかけられたディジタル・データを解読するための個々のキーを配分するための方法であって、前記同報通信システムは、前記個々のキーを提供するよう設計された少なくとも１つのポータル（１４）と、少なくとも１つのスクランブリング・プラットフォーム（１６）と、前記スクランブルをかけられたデータを同報通信するよう設計された少なくとも１つのサーバ（６）とを備え、前記方法は、
各々が個々のキーKiの有効性の周期を定義する一連の符号化周期CPiに、送信されるデータのスクランブル周期を分割する段階と、
前記ポータル（１４）への端末（４）の各接続において、
符号化周期CPiに対応する少なくとも１つのキー及び符号化周期CPi＋1に対応する少なくとも１つのキーを備えた個々のキーの組並びに少なくとも１つの未来の符号化周期に対応する解読キーの組を収集するように未来の接続の日付けを該端末（４）に供給する段階とを含んだ方法。
【請求項２】
符号化周期の期間が最小の期間CPminに少なくとも等しく、そしてポータル（１４）に同時に接続される端末の数に依存する請求項１に記載の方法。
【請求項３】
符号化周期の期間は、永続的に閾値CPmaxと比較され、該符号化周期がCPmaxに等しい期間に達したときにポータル（１４）によって警報信号が発生される請求項２に記載の方法。
【請求項４】
端末（４）のポータル（１４）への接続は、端末（４）からポータル（１４）に送信される要求によって初期設定され、未来の接続の日付けはポータル（１４）によって定義される請求項３に記載の方法。
【請求項５】
未来の接続要求の日付けは、ポータル（１４）の負荷に従って定義される時間基準に対してオフセットされた時間により定義される請求項４に記載の方法。
【請求項６】
前記時間基準は、特定の呼出しトリガ信号（３０）の位相の変化により各端末（４）に知らされる請求項５に記載の方法。
【請求項７】
信号（３０）は、符号化周期中CPi中の接続要求を処理するために必要な時間を表す呼出し配分周期（DRA）を初期設定する請求項６に記載の方法。
【請求項８】
接続要求は、呼出しトリガ信号の状態の変化が一度発生したときだけ端末によって考慮される請求項７に記載の方法。
【請求項９】
ポータル（１４）は、前記平滑時間ウィンドウ内で受信された呼出し数を計算することにより、固定期間の平滑時間ウィンドウ内での平均の接続要求数を測定する請求項８に記載の方法。
【請求項１０】
呼出し数が所定の呼出しトリガ閾値SDA以下のときだけ、特定の呼出しトリガ信号（３０）の位相変化が生じる請求項８に記載の方法。
【請求項１１】
符号化周期は、符号化周期CPiの期間が最小期間CPminよりも大きい場合で、かつ呼出し配分（DRA）の期間が満了した場合にのみ、変化される請求項１０に記載の方法。
【請求項１２】
スクランブルをかけられたデータは視聴覚プログラムを表す請求項１に記載の方法。
【請求項１３】
符号化周期の期間は、視聴覚プログラムの期間に対応する請求項１０に記載の方法。
【請求項１４】
データ交換ネットワーク（２）に接続された複数の端末を有する同報通信システムによって送信されるスクランブルをかけられたディジタル・データを解読するための個々のキーを配分するための信号であって、一続きの符号化周期CPiを含み、各符号化周期が個々のキーKiの有効性の期間を定義し、各符号化周期は、ネットワーク（２）に同時に接続された端末の数に依存して最小の期間CPminと最大の期間CPmaxとの間で変化することができる信号。
【請求項１５】
ネットワークへのユーザの接続日付けの指示を含む請求項１４に記載の信号。
【請求項１６】
前記接続日付けは、ネットワークへの接続数に従って定義される時間基準に対してオフセットされた時間によって定義される請求項１５に記載の信号。
【請求項１７】
前記時間基準は、特定の呼出しトリガ信号（３０）の位相変化によって各端末（４）に知らされる請求項１６に記載の信号。
【請求項１８】
前記呼出しトリガ信号（３０）は、符号化周期CPi中に接続要求を処理するために必要な時間を表す呼出し配分周期（DRA）を初期設定する請求項１７に記載の方法。
【請求項１９】
請求項１８に記載の信号を送信するように適合された送信機。
【請求項２０】
請求項１８に記載の信号を受信するように適合された受信機。
【請求項２１】
個々のキーを提供するよう設計された予約ポータル（１４）と、スクランブリング・プラットフォーム（１６）と、スクランブルをかけられるデータのサーバ（６）とを備えたシステムによってデータ交換ネットワーク（２）内で同報通信されるディジタル・データを解読するための前記個々のキーを配分するための装置であって、
前記予約ポータルが、
送信されるデータのスクランブリング周期を一続きの符号化周期CPiに分割するための手段であって、各符号化周期は個々の解読キーKiに対する有効性の期間を定義するものである前記分割手段と、
各端末に対してポータル（１４）への接続日付けを定義し、かつ各接続された端末（４）に以下のものを提供する、すなわち符号化周期CPiに対応する少なくとも１つのキー及び符号化周期CPi＋1に対応する少なくとも１つのキーを含む個々のキーの組、並びに少なくとも１つの未来の符号化周期に対応する解読キーの組を収集するための未来の接続日付け、を提供する手段と、
を備えた装置。
【請求項２２】
端末（４）のポータル（１４）への接続は、端末（４）からポータル（１４）に送信される接続要求により初期設定され、接続日付けはポータル（１４）によって定義される請求項２１に記載の装置。
【請求項２３】
ポータル（１４）は、ネットワーク（２）に同時に接続される端末（４）の数に依存して最小の期間CPminと最大の期間CPmaxとの間で符号化周期の期間を変えるための手段を備えた請求項２２に記載の装置。
【請求項２４】
ポータル（１４）は、符号化周期の期間を永続的に閾値CPmaxと比較するための手段と、該CPmaxの値を超えた場合に警報信号を発生するための手段と、を備えた請求項２３に記載の装置。
【請求項２５】
ポータル（１４）は、インターネット・ネットワークにリンクされたコンピュータ・サーバである請求項２４に記載の装置。
【請求項２６】
ポータル（１４）は、
各符号化周期の期間を計算するためのコンピュータ・モジュールと、
符号化周期中に受信された呼出し数を計算するためのコンピュータ・モジュールと、
受信された平均呼出し数を計算するためのコンピュータ・モジュールと、
呼出し配分をトリガするために、受信された平均呼出し数をSDA閾値と比較するためのコンピュータ・モジュールと、
を備えた請求項２５に記載の装置。
【発明の詳細な説明】
【技術分野】
【０００１】
本発明はアクセス制御の分野に関し、特に、個々のキーを提供するよう設計された少なくとも１つの予約ポータルと、少なくとも１つのスクランブル・プラットフォームと、スクランブルをかけられたデータを同報通信する（broadcast）よう設計された少なくとも１つのサーバとを備えた同報通信（broadcasting）システムにより送信されるスクランブルをかけられたディジタル・データを解読するための個々のキーを、データ交換ネットワークに接続された複数の端末で配分するための方法に関する。
【０００２】
本発明はまた、この方法を実施するよう設計された装置に関する。
【背景技術】
【０００３】
データの同報通信、特に視聴覚データの分野において、DVB（ディジタル・ビデオ同報通信）規格は、スクランブリング/解読情報が、ECM及びEMMアクセス制御メッセージ（それぞれ実体制御メッセージ及び実体管理メッセージ）でもって加入者に送信され、そしてそれがメモリ・カードに記憶されるかもしくは後者によって用いられるかするアクセス制御機構を提供する。この情報は、周期的に、例えば１０秒ごとに変化するCW符号化された制御ワードを含む。同じプログラムもしくは新しいプログラムに対応する新しい制御ワードは、ECMと共に加入者に送信される。
【０００４】
EMMは、それらが適用するプログラムに先立って送信され、チップ・カードに記憶される。
【０００５】
デコーダが、そのグループを整合する符号化された実体キーを収容するEMMを受信するとき、該デコーダは、このキーがすでに記憶されてしまっているか否かをチェックする。もし記憶されていないならば、実体キーは、スクランブリング関数の逆関数により解読され、次に記憶される。一般的に、デコーダは、安全プロセッサを組込んだメモリ・ボード及び端末から成る。そしてスクランブルをかけられたプログラムが同報通信されるとき、実体キーは、それと関連してECMを介して加入者に送られるCW制御ワードを解読するために用いられるか、もしくはレシーバの初期設定に組込まれる。
【０００６】
上述のシステムにおいて、スクランブルをかけられたプログラムにアクセスするために、加入者は装備を持たなければならず、該装備は、該スクランブルをかけられたプログラムへのアクセス権を限定するアクセス・パラメータを収容するメモリ・ボードに組込まれる安全プロセッサを一般的に含んでいる。
【０００７】
このアクセス制御システムは、インターネット・ネットワークを介しての同報通信に適合しない、というのは、内在的な加入者の数の高さ及びこれら加入者の地理的な拡散度に起因してネットワークに接続された各ユーザにチップ・カード・リーダを配分することを予想することが不可能であるからである。
【０００８】
図１は、スクランブルをかけられた主題のチャンネルのもしくは視聴覚プログラムのインターネット・ネットワーク２を介しての、安全プロセッサを必ずしも持たない端末４への同報通信システムの概略図を示す。
【０００９】
このシステムは、２００１年１０月２９日にFrance Telecomにより登録された「IP型ネットワークにおけるコード化されたプログラムへのアクセス制御を有する同報通信方法及びシステム」という題名のフランス特許出願第０１１３９６３号に記載されている。
【００１０】
このシステムは、視聴覚プログラム受信アンテナ８にまたはデータベース１０にもしくはカメラ１２のようなテレビジョン・プログラム・ソースにさえ接続されるマルチキャストの同報通信サーバ６を含む。サーバ６は、また、視聴覚プログラム予約ポータル１４及びスクランブリング・プラットフォームにも接続される。
【００１１】
予約ポータル１４は、視聴覚プログラム商業オファのプレゼンテーション・ページを管理することができる、そしてこれらのプログラムへのアクセス権に対する予約数を発生することができるソフトウエアを含むコンピュータである。
【００１２】
ポータル１４はまた、個々のキーが計算されるのを許容する符号化関数Gを特徴づける符号化ソフトウエア・プログラムを備える。
【００１３】
顧客の端末４は、CW制御ワードが再構成されるのを許容する解読関数を用いるソフトウエア・プログラムを備える。
【００１４】
このシステムにおける送信のセキュリティは、一方では、１つまたはそれ以上の個々のキーの各端末４への配分に基づいており、そして他方では、すべての顧客に対して共通のALEA１データのデスクランブリング・プログラムと同時の同報通信に基づいている。端末４は、それが、受信されたデータをデスクランブルするためにそれを必要とする瞬間にだけと言うべきである、ランダム・データALEA１の受信後にCW制御ワードを計算することができるだけである。
【００１５】
スクランブリング/デスクランブリング関数の初期設定は、一方では、CW制御ワードでもって行われ、他方では、同じCW制御ワードを用いてスクランブリング/デスクランブリング・シーケンスを多様化するために信号内に搬送される第２のランダム・データALEA２でもって行われる。
【００１６】
この方法で、CW計算は、端末４の個々のアドレス及び個々のキー無しでは行われることができない。このことは、個々のキーの不法な複製の出所が検出されるのを可能とし、それが関連していた端末４の唯一の識別子から後者を分離することを不可能とする。このような不正行為が検出されたならば、欠陥なる端末４は、個々のキーの引き続くセットの配分から除外されるであろう。
【００１７】
上述した従来のシステムにおいて識別される１つの主な問題は、各ユーザに個々のキーを配分するために、接続されたモードにおいて取り扱われるべき呼出しが多数であることからもたらされる送信チャンネルの混雑と関連している。
【００１８】
ペイ・テレビジョン・プログラムの配分において用いられる第１の解決法は、すべての受信機へのフロー同報通信においてキーを挿入することから成り、各受信機は、次に、それに関係するキーだけが保持されるように受信されるフローをフィルタリングする。
【００１９】
この解決法は、ネットワークに接続されていようがいまいが、端末４のすべてがアドレスされなければならないという事実から生じる欠点を有し、というのは、同報通信のコンテクストにおける端末の不接続を検出することが可能ではないからである。
【００２０】
さらに、端末４のすべてがそれらに関するメッセージを受信するのを確実にするために、これらのメッセージは、数倍送られることが必要である。個々のキーを配分するために必要とされる帯域幅は、利用可能な全帯域幅に比較して非常に高くなり得る。
【００２１】
【特許文献１】フランス特許出願第０１１３９６３号
【発明の開示】
【発明が解決しようとする課題】
【００２２】
本発明の目的は、顧客の端末の数に係わらず予約ポータルに過負荷をかけること無く、そしてデータを同報通信するために用いられる帯域幅を減少すること無く、解読キーが配分されるのを許容する方法によって、上述の従来技術の欠点を克服することである。
【課題を解決するための手段】
【００２３】
これらの目的は、
各々が個々のキーKiの有効性の周期を定義する一連の符号化周期CPiに、送信されるデータのスクランブル周期を分割する段階と、
前記ポータルへの端末の各接続において、
符号化周期CPiに対応する少なくとも１つのキー及び符号化周期CPi＋1に対応するキーを備えた個々のキーの組、並びにアクセスの継続が認可される場合に少なくとも１つの未来の符号化周期に対応する解読キーの組を収集するように未来の接続の日付けを該端末に供給する段階と、
を含んだ方法によって達成される。
【００２４】
本発明によれば、符号化周期の期間は、予約ポータルに同時に接続される端末の数に依存して変化する。
【００２５】
この期間は、予約ポータルの容量に依存するが、最小の期間CPminよりも小さいということは可能ではない。
【００２６】
本発明の１つの好適な実施形態によれば、予約ポータルの端末への接続は、ポータルの端末への送信が行われる接続要求によって初期設定される。
【００２７】
本発明の１つの特定の実施形態によれば、接続要求は現在の符号化周期中に送られ、結果の未来の接続の日付けは、符号化周期CPi＋1に対してまたは後の符号化周期に対して予約ポータルによって定義される。
【００２８】
この日付けは、特定の呼出しトリガ信号の位相変化によって各端末Piに知らされる所定の時間基準に対して計算される時間オフセットにより定義される。この特定の呼出しトリガ信号は、符号化周期CPi中に生じる接続要求を処理するために必要とされる時間を表す呼出し配分周期DRAを初期設定する。接続要求は、呼出しトリガ信号の状態の変化からのものとして考慮される。
【００２９】
本発明によれば、特定の呼出しトリガ信号の位相変化は、所定の固定期間の平滑時間ウィンドウの内側の平均のNDMA呼出し数が所定の呼出しトリガ閾値SDAより低い場合にのみ行われる。
【００３０】
本発明によれば、符号化周期は、現在の符号化周期CPiの期間が、最小の期間CPminよりも大きい場合、かつ呼出し配分（DRA）の期間が完了した場合にのみ変えられる。
【００３１】
本発明の方法の１つの特定の応用において、スクランブルをかけられたデータは視聴覚プログラムを表す。
【００３２】
この応用の変形例において、符号化周期の期間は視聴覚プログラムの期間に対応する。
【００３３】
本発明はまた、個々のキー配分信号、この信号を送信するためのエミッタ及びこの信号を受信するための受信機に関する。
【００３４】
本発明による信号は、一続きの符号化周期CPiを含み、各符号化周期が個々のキーKiの有効性の期間を定義し、各符号化周期は、ネットワークに同時に接続された端末の数に依存して最小の期間CPminと最大の期間CPmaxとの間で変化することができる。
【００３５】
本発明によれば、信号は、ネットワークへのユーザの接続日付けの指示を含む。
【００３６】
本発明によれば、前記接続日付けは、信号における予め定義された時間基準に対する時間オフセットによって定義される。
【００３７】
本発明によれば、前記時間基準は、特定の呼出しトリガ信号の位相変化によって各端末に知らされる。
【００３８】
本発明によれば、前記呼出しトリガ信号は、符号化周期CPi中に生じる接続要求を処理するために必要な時間を表す呼出し配分期間を初期設定する。
【００３９】
本発明による方法は、個々のキーを提供するよう設計された予約ポータルと、スクランブリング・プラットフォームと、スクランブルをかけられるデータのためのサーバとを備えた同報通信システムによって同報通信されるディジタル・データを解読するための前記個々のキーを配分するための装置によって用いられる。
【００４０】
この装置は、前記予約ポータルが、
データのスクランブリング周期を一続きの符号化周期CPiに分割するための手段であって、各符号化周期は個々の解読キーKiに対する有効性の期間を定義するものである前記分割手段と、
各端末に対して予約ポータルへの接続日付けを定義し、かつ各接続された端末に以下のものを提供する、すなわち符号化周期CPiに対応する少なくとも１つのキー及び後続の符号化周期CPi＋1に対応する少なくとも１つのキーを含む個々のキーの組、並びにアクセスの継続が認可された場合に少なくとも１つの未来の符号化周期に対応する解読キーの組を収集するための未来の接続日付け、を提供する手段と、
を備えるという事実によって特徴付けられる。
【００４１】
本発明の他の特徴並びに利点は、添付の図面を参照し非制限的な例により為される以下の説明により明瞭となるであろう。
【発明を実施するための最良の形態】
【００４２】
以下の説明は、インターネット・ネットワーク２を介して幾つかの端末４へのプログラム・サーバ６による視聴覚プログラムの同報通信の部分として、前述した図１を参照して為される。
【００４３】
スクランブリング周期は、一連の符号化周期CPiに分割され、その各々は、個々のスクランブリング・キーKiの有効の期間を限定する。
【００４４】
符号化周期の変化は、各端末４に送信点により送信される特定の信号の状態の変化により知らされる。
【００４５】
これらの符号化周期CPiの特徴は、テレビジョン・サービスが創成されたときに、与えられたサービスに対して限定される。それらはポータル１４により記憶される。
【００４６】
限定された符号化周期CPiは、以下により特徴付けられる：
・  多くのユーザが接続されていない場合に創成される符号化周期CPiのすべてのものである最小の期間CPmin。
・  アラーム閾値を表す最大の期間CPmax。
【００４７】
秒で表現される符号化周期CPiの期間Diは、ネットワークに接続される端末４の数に依存するが、それはCPminよりは小さくない。期間DiがCPmaxに達したならば、次に、アラームが発生されて、提供された期間CPmaxが接続された人口に対して超えられてしまったことをポータル１４に警告する。ポータル１４は、現在の呼出し率を吸収するために、現在の符号化周期の期間がこの値を超えて増加されるのを許容する機構をトリガする。オペレータのポータル装備のサイズを変更するためにCPmaxの頻繁な超過がオペレータによって用いられ得る。
【００４８】
本発明の１つの本質的な特徴は、符号化周期CPiに対応する解読キーKiを収集するために、各端末４はポータル１４に接続要求を送り、これにより後者は、符号化周期CPiに対応する少なくとも１つのキー及び符号化周期CPi＋１に対応する少なくとも１つのキーを含む個々のキーの組を提供することができ、そしてアクセスの継続が認可されたならば少なくとも１つの未来の符号化周期に対応する解読キーの組を収集するために未来の接続の日付けを提供することができる。
【００４９】
図２は、２つの引き続く符号化周期CP1及びCP2を図式的に表す。矢印２０は、端末４がポータル１４に接続された、符号化周期CP1における瞬間を表し、矢印２２は、未来の接続のために端末４にポータル１４によって割り当てられた呼出し日付け２６を示す。日付け２６は、ポータル１４上の負荷に従って決定される基準日付け２７から計算されるCP1内で提供される時間オフセットIPAによって定義される。
【００５０】
本発明のもう１つの特徴によれば、基準日付け２７は、各端末４にポータル１４により送られる特定の呼出しトリガ信号３０の位相の変化により符号化周期CP2中に各端末４に知らされる。
【００５１】
呼出し日付け要求の配分
新しい接続に対する呼出しの存在を予想するために、与えられた符号化周期CPi中に、ポータル１４は、接続された端末のすべてに対する未来の呼出し日付けを計算し、以下の符号化周期CPi＋1で計算される日付けを計画する。
【００５２】
図３は、この配分を行うために用いられる機構を図式的に示す。この機構において、符号化周期CPｎ中に列ｎの呼出しに対し、符号化周期CPｎ＋１において対応の呼出し列ｎがある。もし新しい呼出しNが符号化周期CPｎ＋１中に生じたならば、それは即座に取り扱われる。
【００５３】
図３によって示される例において、４つの端末の呼出し日付けが、CPｎ、CPｎ＋1及びCPｎ＋２によってそれぞれ参照される３つの引き続く符号化周期中に配分される。
【００５４】
符号化周期CPｎ中の端末４からの第１の呼出しに対して、符号化周期CPｎ＋1における対応の列１があり、第２の呼出しに対して、対応の列２がある、等である。この配分は以下のように行われる：
符号化周期CPｎ：
呼出し１が、CPｎ＋1に対して配分される
呼出し２が、CPｎ＋1に対して配分される
呼出し３が、CPｎ＋1に対して配分される
呼出し４が、CPｎ＋1に対して配分される
【００５５】
符号化周期CPｎ＋1：
呼出し１が配分に従って為され、それは符号化周期CPｎ＋２に対して列１を保つ；
新しい呼出しNが、符号化周期CPｎ＋1に対して列２を取り、符号化周期CPｎ＋２に対して配分される；
呼出し２が配分に従って為され、符号化周期CPｎ＋１に対して列３を取り、そして符号化周期CPｎ＋２に対して配分される；
呼出し３が配分に従って為され、符号化周期CPｎ＋１に対して列４を取り、そして符号化周期CPｎ＋２に対して配分される；
呼出し４が配分に従って為され、符号化周期CPｎ＋１に対して列５を取り、そして符号化周期CPｎ＋２に対して配分される；
【００５６】
符号化周期CPｎ＋２：
呼出し１が、例えばユーザの以下の不接続に対して為されず、それはもはや符号化周期CPｎ＋２においてリストアップされない；
呼出し２が配分に従って為され、符号化周期CPｎ＋２に対して列１を取り、そして符号化周期CPｎ＋３に対して配分される；
呼出し３が配分に従って為され、符号化周期CPｎ＋２に対して列２を取り、そして符号化周期CPｎ＋３に対して配分される；
呼出し４が配分に従って為され、符号化周期CPｎ＋２に対して列３を取り、そして符号化周期CPｎ＋３に対して配分される；
呼出し５が配分に従って為され、符号化周期CPｎ＋２に対して列４を取り、そして符号化周期CPｎ＋３に対して配分される。
【００５７】
前述したように、符号化周期CPiの期間は、先の符号化周期CP１中に新しい計画されない接続要求を考慮するためにポータル１４によって変更され得る。この変形の目的は、ポータル１４において呼出しの過負荷を避けることである。この原理は、テレビジョン・チャンネルの同報通信に適用され、また、符号化周期の期間が既知であるイベントの同報通信に適用され、さらに、この場合においてイベントの評価期間が符号化周期のものよりも低いもしくは近接している場合においてさえイベントの同報通信に適用される。
【００５８】
符号化周期の始めにおいて、ポータル１４は呼出し密度を測定し、該測定された密度が、先の符号化周期中に先に計画された接続要求の配分をトリガするよう設定された閾値よりも低くなるまで待機する。この原理は、新しい接続要求が吸収されるのを許容する。
【００５９】
内容の識別を同報通信するTVチャンネルの場合において、新しい内容の開始において符号化周期の変化が課され、TVポータルは次に、それが以下のことを行うのを可能とするツールの処理をする：
・  端末４が新しい個々のキーを得るためにポータル１４につながった時点である時間基準２７を端末４に指示するために呼出し負荷を測定すること；
・  蓄積した計画されない呼出し及び先に計画された呼出しを避けること。
【００６０】
基準日付け２７は、各端末４にポータル１４によって送られる特定の呼出しトリガ信号３０の位相変化によって各端末４に知らされる。
【００６１】
この原理は、図４によって図式的に示されている。
【００６２】
この図は、符号化周期CPiの間及び符号化周期CPi＋１の間に引き続き同報通信される視聴覚プログラムの２つの内容（内容１）及び（内容２）を図式的に表す。周期Tの間、幾つかの接続要求が、解読キーの組を受信するために、第１の時間、つながることを望む端末４によりポータル１４に送られる。周期Tの間の呼出し密度は、ポータル１４によって測定される。この呼出し密度の測定は、高い呼出し密度の周期が識別されるのを可能とし、そして低い呼出し密度の周期において前もって計画された呼出しをプログラムするために、低い呼出し密度の周期からそれを識別するのを可能とする。図４によって示された場合において、ポータル１４は、周期Tの終わりに生じた信号３０の位相変化後に新しい接続要求を配分する。
【００６３】
プログラムの内容の変化により課されていない符号化周期における変化の場合、符号化周期の変化を決定するために、ポータル１４は以下のルールを適用する：
−  スクランブル段階は、最小の期間CPminに少なくとも等しい期間を有さなければならない。
−  先の符号化周期並びに任意の可能な再呼出しに対して評価される時間の間に計画された呼出しの配分は、完了されなければならない。
【００６４】
上述で説明したように、符号化周期の変化、従って解読キーは、信号３０の位相変化と同期される。
【００６５】
信号位相３０における変化をプログラムするために、そのパラメータがポータル１４によって設定され得る、固定期間の平滑時間ウィンドウにおいて受信される平均の呼出し数は、その値が本質的にポータル１４に依存する、与えられた時間における呼出し数を表す所定のトリガ閾値SDAよりも低くなければならない。この閾値は、ポータル１４に対する性能インディケータを構成する。
【００６６】
このため、ポータル１４は、それが上述で定義されたルールを適用するのを許容する幾つかのパラメータを有する。それらは以下を含む：
−  表現DRA(CPn)＝Δn＋εによって与えられる呼出し配分期間DRA
−  DRAは、安全周期εによって増加される符号化周期における呼出しを処理するために必要とされる時間を表す。
Δn＝(呼出し（CPn-1）の番号＊呼出しを処理するための時間)は、先の符号化周期中に割付けられた最大の呼出しオフセット値を表す；
ε＝NEC*PERAPは、ポータル１４に対する最初の接続の試み中に不成功であったと言われる呼出しを考慮するための評価（概算）値を表し、ここで、
NECは、失敗した接続の試みの数を表し、
PERAPは、接続要求に対する応答が無い場合の呼出しの周期性を表す。
【００６７】
図５は、４つの不成功の呼出しE1〜E4の場合におけるεの概算（評価）を図式的に示す。安全時間εの概算もしくは評価は、配分される最後の呼出しに割付けられた最大再呼出し時間を考慮している。
−  呼出し基準を定義するために用いられるNMDAサンプリング・ウィンドウ。このウィンドウは、そのパラメータがポータル１４レベルにおいて定義され得る固定期間を有する。それは、与えられた時間において受信される平均の呼出し数が計算されるのを可能とする。この数は、次に、呼出しトリガ信号３０の状態変化を決定するために、呼出しトリガ閾値SDAと比較される。このウィンドウは、１秒の増分でスライドする。
−  すでに説明したパラメータSDAは、内容の変化前に所定の配分に関連した呼出しから離れて存在する呼出しの吸収を処理するためにポータル１４によって用いられる呼出しトリガ閾値を表す。
【００６８】
再呼出しを生じさせる符号化周期中に受信される呼出しは、例えば有効な加入の場合に、後続の符号化周期中に期間DRAの内側で配分される。呼出しは、３０の状態の変化からのものとして符号化周期内で考慮される。
【００６９】
図６は、上述で定義されたパラメータによる符号化周期の変形機構を示す。この図において、参照数字４０は、ポータル１４によって受信された平均の呼出し数NMDAの時間変化を表す曲線を示す。この曲線は、所定のトリガ閾値の値SDAの回りで変化する。参照数字４６は、ポータル１４によって受信された接続要求を示す。
【００７０】
平均呼出し数NMDAが呼出しトリガ閾値SDAよりも小さいか等しいならば、ポータル１４は、以下の場合に、呼出しトリガ信号３０の位相を変えることを決定する：
−  符号化周期が最小期間CPminに少なくとも等しい期間を有する場合、そして
−  先の符号化周期並びに期間DRA中に計画された呼出しの配分が完了される場合。
【００７１】
図６を参照して、瞬間ti（i=0、1、2、3、…）は、各端末４がそこから時間オフセットIPAの計算を開始する基準値２７を表し、それに続いて、各端末は、解読キーの新しい組を収集するために再度ポータル１４に接続することができる。
【００７２】
間隔Iにおける平均呼出し数NMDAは、呼出しトリガ閾値SDAよりも大きく、ポータル１４は、瞬間ｔ０及び瞬間ｔ１間の低いレベルに留まる信号３０の位相を変えない。
【００７３】
この瞬間ｔ１において、平均呼出し数NMDAは、呼出しトリガ閾値SDA以下を通過し、ポータル１４は、期間DRA１＋εの終わりに対応する、瞬間ｔ１において高レベルに変化する信号３０の位相の変化を指令する。
【００７４】
信号３０は、符号化周期CP1の期間がCPminよりも大きく、平均呼出し数NMDAが呼出しトリガ閾値SDA以下である間隔IIに位置する瞬間ｔ２まで高レベルに留まる。この瞬間ｔ２において、ポータル１４は、信号３０の位相の変化を指令し、該信号３０は、期間DRA1=Δ１＋εの終わりにおいて低レベルに変化する。
【００７５】
間隔IIIにおいて、平均呼出し数NMDAは再度呼出しトリガ閾値SDAの上を通過し、ポータル１４は、符号化周期の期間に係わり無くそして期間DRA3の状態に係わり無く、信号の位相を変化させない。信号３０は、瞬間ｔ２及び瞬間ｔ３間の低レベルに留まる。
【００７６】
間隔IVにおいて、平均呼出し数NMDAは再度、呼出しトリガ閾値SDA以下を通過し、瞬間ｔ３において、符号化周期CP3の期間は期間CPminを超え、ポータル１４は、瞬間ｔ３において高レベルに通過する信号３０の位相を変化させる。
【００７７】
ポータル１４は、信号３０におけるこの変化を示すべきである任務を有するスクランブラ１６に知らせる。この遷移は、１つの符号化周期から次の符号化周期への通過中に呼出しの配分を適用するよう、端末４によって用いられる。
【００７８】
識別された内容での私用のチャンネルの同報通信の特定の場合において、種々の内容が、同じチャンネル内で異なった人口に対して向けられる。この種の同報通信が遭遇する問題は、内容の変化に関する。事実、取られるもしくは受信される加入に依存して、人口のすべてもしくは一部は、内容を見る権利を有する。
【００７９】
このサービスを履行するために、ポータル１４は、それが同報通信する各内容の期間と開始日を知らなければならない。上述の原理は、この種の同報通信に対してなお応用可能である。
【００８０】
本発明の特定の実施形態によれば、ポータル１４は、要求を為しているユーザが後続のイベントの主題のための加入を取り出したか否かをチェックしている間に、現在の内容及び後続の内容に対するキーの対を配分する。
【００８１】
このため、ポータル１４は、同じ内容に対して上で定義した規準に従って変化する符号化周期を創成する。しかしながら、ポータル１４は、呼出しの配分がプログラム化され得るように、内容の終わりの前に残っている時間が充分ならば、新しい符号化周期を創成するだけである。
【００８２】
図７は、この実施形態の実施機構を図式的に示す。
参照数字５０及び５１は、同じチャンネル上の２つの引き続く内容の同報通信を表す。
【００８３】
符号化周期の変更を行う前に、ポータル１４は、内容の終わりの前に残っている時間が期間CPmin＋DRAよりも大きいか否かを検査する。
【００８４】
参照数字５２は、内容５０の同報通信のために残っている時間がCPmin＋DRAよりも大きい場合における符号化周期の評価を表す。
この場合、ポータル１４は、瞬間ｔにおいて符号化周期を変更する。
【００８５】
参照数字５４は、内容５０の同報通信のために残っている時間がCPmin＋DRAよりも小さい場合における符号化周期の評価を表す。
この場合、ポータル１４は、信号３０の位相を変えない。
【００８６】
この内容の各符号化周期において、接続されたユーザは、現在の周期のための及び後続の周期のためのキーの組を受信することを要求する。ポータル１４はそれらを計算し、要求を行ったユーザが後続の種類の内容に加入したか否かをチェックする。
【００８７】
ユーザが加入したならば、ポータル１４は、後続の内容に対して用いられるキーの組を計算し、キーの２つの組をユーザに送るであろう。
【００８８】
ユーザが加入していないならば、次に、現在の内容に対するキーの組だけが送られるであろう。
【００８９】
キーを配分するための機構が、図８に図式的に示されている。
【００９０】
接続された新しいユーザに対して、ポータル１４は以下を配分する：
・  図８Aに見られ得るように、該ユーザが現在及び後続の内容に加入した場合に、２つの偶数キー及び２つの奇数キー（KPN、KPN＋１）、（KIN、KIN＋１）をそれぞれ含む２つの対のキー；
・  図８Bに見られ得るように、該ユーザが後続の内容に加入していなかった場合に、現在の内容に対する１つの偶数キー及び１つの奇数キー（KPN、KIN）をそれぞれ含む１つの対のキー；
・  図８Cに見られ得るように、該ユーザが現在の内容に加入していなかった場合に、後続の内容に対する１つの偶数キー及び１つの奇数キーをそれぞれ含む（KPN＋１、KIN＋１）１つの対のキー。
【００９１】
各内容の遷移中に信号が送信されるであろう。これから、端末４は、どの組のキーが内容を解読するために用いられるかを決定する。
【００９２】
ポータル１４は、後続の内容の開始において位相のパリティを前以て知らないので、後続の内容に対するキーの完全な組を送る。与えられたパリティに対してどのキーが割当てられていたかを何等疑い無く端末４が知ることができるために、後続の内容のために送られるキーの組は常に以下の形態にある：
偶数キーN＋１、奇数キーN＋１
【００９３】
ポータル１４−スクランブラ間の対話
この動作を履行するために、ポータル１４は、各符号化周期においてスクランブラ１６に以下について知らせなければならない：
・  スクランブリング相の変化について；
・  呼出しトリガの位相の変化について；
・  スクランブリング相及び内容の変化について。
【００９４】
ポータル１４は、また、後続の符号化周期に対して用いられるであろうスクランブリング・パラメータ（ALEA１＋CW）をスクランブラ１６に要求しなければならない。
【００９５】
図９は、同報通信中のポータル１４とスクランブラとの間の交換を図式的に示す。
参照数字６０は、対応の解読キーを有する引き続く符号化周期を表し、参照数字６２は、呼出しトリガ相を表す。
【００９６】
ポータル１４は、スクランブラ１６に以下の要求を送る：
−  CR（呼出し＿基準）：この機能は、呼出しトリガ信号３０の位相の変化がスクランブラ１６に指示されるのを許容する。
−  CSP（変化＿スクランブリング＿位相）：この機能は、スクランブラがスクランブリング相を変えるのを許容する。
−  CP（創成＿プロフィル＿CA）：この機能は、未来の符号化周期に対して有効であろうスクランブリング・パラメータを要求するようスクランブラ１６に対して要求が為されるのを許容する。お返しとして、スクランブラ１６は、ポータル１４に、要求されたALEA１及びCWパラメータを提供する。この要求は、符号化周期CPminの最小期間の終わりの前にトリガされなければならない。
【００９７】
ポータル１４によって為される計算
ポータル１４は、以下を計算するためのコンピュータ・モジュールを含む：
・  各符号化周期の期間を計算するための；
・  符号化周期中に受信される呼出し数を計算するための；
・  呼出しの配分をトリガするために受信される平均の呼出し数を計算するための；この数は、次に、閾値SDAと比較される。
【００９８】
端末４は、個々のキーを収集するためにポータル１４を定期的に呼出す。もし呼出しが不首尾で終わる場合には、繰り返し呼出しのための戦略は、以下のようである：
＊  再接続の試みの数は、NEC呼出し（例えば３回）に制限される。
＊  これらの試みの周期性は、PERAP分（例えば２または３分）である。この繰り返しは、DRA呼出しの配分の期間に関連したパラメータεを評価するのに影響を有する。
【図面の簡単な説明】
【００９９】
【図１】本発明の方法が用いられる同報通信システムを示す図である。
【図２】本発明による予約ポータルへの接続の日付けに対する時間基準の定義モードを図式的に示す図である。
【図３】図２の実施形態による定義された日付けの配分を示す図である。
【図４】一方では新しい呼出しで負荷される周期（T）を、他方では呼出しが配分される周期を提起する説明的なタイミング・チャートを図式的に示す図である。
【図５】不首尾に終わった呼出しの処理の説明的なタイミング・チャートを図式的に示す図である。
【図６】本発明による符号化周期の変化を示すタイミング・チャートを図式的に示す図である。
【図７】識別された内容を有するプログラムの同報通信の場合における本発明による方法の応用を図式的に示す図である。
【図８】図７の応用においてキーの配分の説明的なタイミング・チャートを図式的に示す図である。
【図９】本発明のスクランブラと予約ポータルとの間の情報の交換を示す図である。
【図１】
2005512416.tif 000003
【図２】
2005512416.tif 000004
【図３】
2005512416.tif 000005
【図４】
2005512416.tif 000006
【図５】
2005512416.tif 000007
【図６】
2005512416.tif 000008
【図７】
2005512416.tif 000009
【図８】
2005512416.tif 000010
【図９】
2005512416.tif 000011
【国際調査報告】
2005512416.tif 000012
2005512416.tif 000013
2005512416.tif 000014
2005512416.tif 000015